(57)【要約】【課題】軸状部材が便座装置の基部内において上方に向けてかなりの突出量で突出することを抑え、設計の自由度を確保するのに有利な便座装置を提供する。【解決手段】便器２の据え付け面２０の取付孔２１に挿通されて取り付けられると共に、上面に開口６２をもつ中空室６０を有する中空軸状部材６が設けられている。中空軸状部材６の中空室６０に開口６２から差し込まれ中空軸状部材６に対して昇降可能な差し込み軸状部材４が設けられている。中空軸状部材６の中空室６０に対して挿通された状態で上昇された差し込み軸状部材４をその上昇位置に保持することにより、便器２の据え付け面２０から基部３０を持ち上げた状態で保持するロック手段８が設けられている。【選択図】図２
2004344475.tif 000002
【特許請求の範囲】
【請求項１】
基部と前記基部に回動可能に保持された便座本体とを具備すると共に便器の据え付け面に据え付けられる便座装置において、
便器の据え付け面に形成されている上下方向にのびる取付孔に挿通されて前記便器の前記据え付け面に取り付けられると共に、上面に開口をもつ中空室を有する中空軸状部材と、
下方に向けて前記基部に設けられ前記中空軸状部材の前記中空室に前記開口から差し込まれ前記中空軸状部材に対して昇降可能な差し込み軸状部材と、
前記中空軸状部材と前記差し込み軸状部材との間に介在し、前記中空軸状部材の中空室に対して挿通された状態で上昇された前記差し込み軸状部材をその上昇位置に保持することにより、前記便器の据え付け面から前記基部を持ち上げた状態で保持するロック手段とを具備することを特徴とする便座装置。
【請求項２】
請求項１において、前記基部はアタッチメント係合部を有し、
前記基部の前記アタッチメント係合部に係合されて前記基部に保持される第１アタッチメントが設けられており、前記第１アタッチメントは前記差し込み軸状部材を有することを特徴とする便座装置。
【請求項３】
請求項２において、前記差し込み軸状部材は前記第１アタッチメントに対して折り畳み可能に設けられていることを特徴とする便座装置。
【請求項４】
請求項２において、前記中空軸状部材を保持する第２アタッチメントが前記便器の据え付け面に据え付け可能に設けられていることを特徴とする便座装置。
【請求項５】
請求項４において、前記差し込み軸状部材は凹状または凸状の被ロック部を有しており、前記ロック手段は、前記差し込み軸状部材の前記被ロック部に係脱可能に係合できるように前記第２アタッチメントに設けられていることを特徴とする便座装置。
【請求項６】
請求項１において、前記差し込み軸状部材は前記基部に対して折り畳み可能に設けられていることを特徴とする便座装置。
【発明の詳細な説明】
【０００１】
【発明の属する技術分野】
本発明は基部と基部に回動可能に保持された便座本体とを有する便座装置に関し、殊に清掃性を高めた便座装置に関する。
【０００２】
【従来の技術】
便座装置は、一般的には、基部と、基部に回動可能に保持された便座本体とを有する。この便座装置の基部は便器の据え付け面に取り付けられている関係で、便座装置の基部と便器の据え付け面との間の清掃を行うにあたり、清掃作業は必ずしも容易ではない。そこで、近年、清掃時に、便器の据え付け面から便座装置の基部を持ち上げた状態に維持することにより、便座装置の基部と便器の据え付け面との間の清掃を容易ならしめた便座装置が提案されている（特許文献１）。
【０００３】
上記した特許文献１に係る便座装置は、便器の後部の据え付け面に形成されている上下方向にのびる取付孔に挿通されて取り付けられる軸状部材と、軸状部材に昇降可能に設けられた基部と、基部を便器の後部の据え付け面に設置した状態と基部を便器の後部の据え付け面から浮かせた状態とに切り替える切替保持手段とを備えている。このものによれば、便座装置の基部を便器の後部の据え付け面から浮かせた状態に保持できるため、便座装置の基部と便器の後部の据え付け面との間の清掃を良好に行うことができる利点が得られる。
【０００４】
【特許文献１】特開平８−１７７１０４号公報
【０００５】
【発明が解決しようとする課題】
しかしながら特許文献１に係る便座装置によれば、軸状部材は、便器の後部の据え付け面から上方に向けてかなりの突出量で突出しているため、便座装置の基部内においても上方に向けてかなりの突出量で突出している。このため便座装置の基部内において上方に突出する軸状部材が邪魔になり、基部内に搭載部品を配置するにあたり、この軸状部材が設計の自由度を制約する。殊に、温水タンクや洗浄ノズル等の搭載部品を便座装置の基部内において配置するにあたり、当該搭載部品の設置が制約され、この軸状部材が設計の自由度を制約する。
【０００６】
本発明は上記した実情に鑑みてなされたものであり、軸状部材が便座装置の基部内において上方に向けてかなりの突出量で突出することを抑え、設計の自由度を確保するのに有利な便座装置を提供することを課題とするにある。
【０００７】
【課題を解決するための手段】
本発明に係る便座装置は、基部と基部に回動可能に保持された便座本体とを具備すると共に便器の据え付け面に据え付けられる便座装置において、
便器の据え付け面に形成されている上下方向にのびる取付孔に挿通されて便器の据え付け面に取り付けられると共に、上面に開口をもつ中空室を有する中空軸状部材と、
下方に向けて基部に設けられ中空軸状部材の中空室に開口から差し込まれ中空軸状部材に対して昇降可能な差し込み軸状部材と、
中空軸状部材と差し込み軸状部材との間に介在し、中空軸状部材の中空室に対して挿通された状態で上昇された差し込み軸状部材をその上昇位置に保持することにより、便器の据え付け面から基部を持ち上げた状態で保持するロック手段とを具備することを特徴とするものである。
【０００８】
本発明に係る便座装置によれば、上面に開口をもつ中空室を有する中空軸状部材が用いられており、中空軸状部材は、便器の据え付け面に形成されている上下方向にのびる取付孔に挿通されて、便器の据え付け面に取り付けられる。更に差し込み軸状部材は、下方に向けて便座装置の基部に設けられ、中空軸状部材の中空室に開口から中空軸状部材に対して昇降可能に差し込まれる。これにより差し込み軸状部材及び中空軸状部材は、二重軸構造となる。
【０００９】
そして、便座装置の基部と便器の据え付け面との間における清掃を行うときには、差し込み軸状部材を中空軸状部材に対して上昇させる。そして差し込み軸状部材をその上昇位置にロック手段により保持する。これにより便座装置の基部を便器の据え付け面から所定距離持ち上げた状態で保持する。この状態では、便座装置の基部と便器の据え付け面との間には所要の隙間が形成されるため、当該隙間における清掃を良好に行うことができる。即ち、便器の据え付け面と便座装置の基部の下面との間の隙間の奥方まで、手の指先、あるいは、雑巾等の清掃具を挿入し易くなり、清掃し易くなる。清掃が終了したら、便座装置の基部を下降させ便器の据え付け面に載せる。
【００１０】
更に本発明に係る便座装置によれば、上記したように便座装置の基部を便器の据え付け面から持ち上げつつも、差し込み軸状部材は下方に向けて突出しているため、差し込み軸状部材が上方に突出する量が抑えられている。このため、便座装置の基部内において搭載部品を配置するにあたり、差し込み軸状部材が設計の自由度を制約することが抑制される。殊に、便座装置の基部が温水タンクや洗浄ノズル等の搭載部品を有する場合においても、温水タンクや洗浄ノズル等の搭載部品を便座装置の基部内に配置するにあたり、差し込み軸状部材が当該搭載部品の設置の制約することが抑制され、ひいては搭載部品を配置する際における設計の自由度が確保される。
【００１１】
【発明の実施の形態】
便座装置は、基部と基部に回動可能に保持された便座本体とを備えている。基部は、使用者が着座する便座本体を回動可能に保持するものであればよく、温水タンク、洗浄ノズル等の搭載部品を搭載することができる。本発明の好ましい形態によれば、差し込み軸状部材は便座装置の基部と一体的に設けられていても良いし、あるいは、差し込み軸状部材は便座装置の基部と別体に設けられていても良い。後者の場合、便座装置の基部はアタッチメント係合部を有することが好ましい。この場合、第１アタッチメントが差し込み軸状部材を有しており、基部のアタッチメント係合部に第１アタッチメントを係合することにより、基部に差し込み軸状部材を保持する形態を採用できる。中空軸状部材としては、長さ方向に貫通する形態でも、有底状の形態でも良い。
【００１２】
本発明の好ましい形態によれば、差し込み軸状部材は便座装置の基部に対して折り畳み可能に設けられている形態を採用できる。また、便座装置の基部のアタッチメント係合部に係合可能な第１アタッチメントが設けられている場合には、差し込み軸状部材が第１アタッチメントに対して折り畳み可能に設けられている形態を採用することもできる。このように差し込み軸状部材を基部あるいは第１アタッチメントに対して折り畳み可能にすれば、梱包時、据え付け作業時等において、差し込み軸状部材を折り畳んで基部や第１アタッチメントに収容すれば、差し込み軸状部材が邪魔になることを防止することができる。故に、梱包の小型化、据え付け作業時の小スペース化等を図るのに有利である。
【００１３】
従って本発明によれば、差し込み軸状部材の姿勢を、第１アタッチメントの収容部に対して折り畳み状態及び立起状態にそれぞれ維持する差し込み軸状部材姿勢維持手段が設けられていることが好ましい。
【００１４】
本発明の好ましい形態によれば、中空軸状部材を保持する第２アタッチメントが設けられている形態を採用できる。また、差し込み軸状部材は凹状または凸状の被ロック部を有しており、ロック手段は、差し込み軸状部材の被ロック部に係脱可能に係合できるように第２アタッチメントに設けられている形態を採用できる。ロック手段は便器の据え付け面に沿った板状である形態を例示できる。この場合、コンパクト化に有利である。
【００１５】
【実施例】
以下、本発明の実施例について図面を参照して具体的に説明する。図１に示すように、本実施例に係る便座装置１は、陶器製の便器２の後部の据え付け面２０にロータンク２４の前方に位置して据え付けられるものであり、箱状の基部３０と、基部３０に回動可能に保持された便座本体３１と、基部３０に回動可能に保持された便蓋３２とを有する。基部３０内には、図示はしないものの、制御基板、温水タンク、洗浄ノズル、これらに関連する種々の搭載部品が搭載されている。便蓋３２は便座本体３１の上側に位置する。図２に示すように、便器２の後部の据え付け面２０には、上下方向にのびる複数個（２個）の取付孔２１が便器２の後部２ｒを貫通するように形成されている。取付孔２１のピッチＰ１は規格（ＪＩＳ規格）により規定されている。
【００１６】
図１に示すように、基部３０の底部には、差し込み軸状部材４が下方に向けて複数本（２本）設けられている。基部３０の底部に差し込み軸状部材４を設ける構造について説明を加える。即ち、図６に示すように、下方向（矢印Ｙ１方向）に突出する差し込み軸状部材４を一体的に保持するプレート状をなす第１アタッチメント５が設けられている。第１アタッチメント５は、金属や硬質樹脂等で硬質プレート状に形成されており、相対的に厚みが薄い薄肉部５ａ及び薄肉部５ａよりも相対的に厚みが厚い厚肉部５ｂと、厚み方向に貫通する複数個（２個）の係止孔５３とをもつ。差し込み軸状部材４は第１アタッチメント５に対して矢印Ｒ１方向に折り畳み可能に設けられている。従って梱包時には差し込み軸状部材４は、矢印Ｒ１方向に折り畳まれ、第１アタッチメント５とほぼ平行となるように第１アタッチメント５の収容部５０に収容されている。
【００１７】
この結果、梱包時には、差し込み軸状部材４を有する第１アタッチメント５は、コンパクト化されている。差し込み軸状部材４の使用時には、差し込み軸状部材４は矢印Ｒ２方向（立起方向）に回動され、第１アタッチメント５に対してほぼ垂直状に下方向（図２に示す矢印Ｙ１方向）に向けて垂下される。なお図６に示すように、差し込み軸状部材４の外壁面には、これの軸長方向において被ロック部として機能する被ロック溝４０（４０ａ，４０ｂ，４０ｃ）が下部から上部にかけて複数段に形成されている。図９，図１０に示すように、被ロック溝４０はＶ溝形状とされており、下側のテーパ面４０ｍ，上側のテーパ面４０ｎをもつ。
【００１８】
図３は便座装置１の基部３０の底側を示す。基部３０には、人体の局部に洗浄水を吹き付ける洗浄ノズル３０ｐ、温水タンクの水抜き部３０ｒが設けられている。図３に示すように、基部３０は箱形状をなしており、基部３０の底部となるベースプレート３０ａと、ベースプレート３０ａに着脱可能に被着されたベースカバー３０ｃとで形成されている。基部３０を構成するベースプレート３０ａの後部の裏面側には、凹状のアタッチメント収容室３４ｘと、アタッチメント収容室３４ｘに第１アタッチメント５を取り付けるためのアタッチメント係合部３４が形成されている。アタッチメント係合部３４には複数個（２個の）凸係合部３６が設けられている。凸係合部３６は、第１アタッチメント５がアタッチメント係合部３４に挿入される方向（矢印Ｘ２方向）に沿って延設された第１傾斜面３７及び第２傾斜面３８をもつ。
【００１９】
基部３０のアタッチメント係合部３４と第１アタッチメント５とは着脱可能とされている。基部３０のアタッチメント係合部３４に第１アタッチメント５が取着されたときには、図５に示すように、第１アタッチメント５の薄肉部５ａの先端が凸係合部３６の第１傾斜面３７及び第２傾斜面３８を乗り越え、ストッパとして機能する壁面３４ｍに突き当たり、第１アタッチメント５が位置決めされると共に、第１アタッチメント５の係止孔５３が凸係合部３６に着脱可能に係合する。第１アタッチメント５の薄肉部５ａは厚みが相対的に薄いため、良好な弾性変形を有しており、凸係合部３６の第１傾斜面３７及び第２傾斜面３８に対する乗り越え性、脱着性が確保されている。上記したように基部３０のアタッチメント係合部３４に第１アタッチメント５が取着されたときには、図１に示すように、差し込み軸状部材４は、便座装置１の基部３０の底部を形成するベースプレート３０ａに一体的に保持されることになる。
【００２０】
図２に示すように、複数個（２個）の中空軸状部材６を保持する第２アタッチメント７が設けられている。中空軸状部材６は、差し込み軸状部材４を差し込み得る軸穴状の中空室６０を有すると共に、中空室６０に連通するように上面に開口６２とを有する。中空軸状部材６の下部領域には雄螺子６３が形成されている。中空室６０は、塵埃等が蓄積しないように上下方向に貫通している。複数個（２個）の中空軸状部材６のピッチＰ３は、基本的には取付孔２１のピッチＰ１と同じされている。同様に、前記した複数個（２個）の差し込み軸状部材４のピッチＰ２は、基本的には取付孔２１のピッチＰ１と同じされている。
【００２１】
図７は複数個（２個）の中空軸状部材６を並設した第２アタッチメント７付近を示す。中空軸状部材６は第２アタッチメント７の下面側に溶接等の結合手段により一体的に結合されている。第２アタッチメント７は便器２の幅方向に沿って延設された板状をなしている。第２アタッチメント７は、図７に示すように、嵌合溝７ｃを形成するように互いに対面するように接合された第１板体７１及び第２板体７２と、第１板体７１及び第２板体７２の長さ方向の一端部に取付具７３ｍにより取り付けられた取付体７３とを有する。図７に示すように、取付体７３は、スライド溝７３ａと、スライド溝７３ａに設けられたストローク位置決めピン７３ｃと、コイルバネで形成された付勢部材７３ｅとを有する。付勢部材７３ｅはコイルバネに限らず、板バネ等の他のバネでも良い。
【００２２】
そして、図７に示すように、ロック手段として機能するロックプレート８が第２アタッチメント７のスライド溝７３ａ及び嵌合溝７ｃに矢印Ｗ１方向（ロック解除方向），矢印Ｗ２方向（ロック方向）にスライド可能に装入されている。矢印Ｗ１，Ｗ２方向は、便器２の据え付け面２０の面方向に沿った方向である。図７に示すように、ロックプレート８は、中空軸状部材６の開口６２に対面可能な長孔状の対面開口８０と、対面開口８０の縁に形成された複数個（２個）のロック爪８１と、ロックプレート８の一端側に設けられ使用者により操作可能な操作部８３と、ストローク位置決め溝８４とをもつ。
【００２３】
図７に示すように、ロックプレート８が第２アタタッチメント７の嵌合溝７ｃ及びスライド溝７３ａに嵌合している状態では、付勢部材７３ｅによりロックプレート８は矢印Ｗ２方向（ロック方向）に付勢されており、ストローク決め溝８４の一端部８４ａはストローク位置決めピン７３ｃに係合し、ロックプレート８が矢印Ｗ２へ方向に過剰に移動することが抑制され、これによりロックプレート８が第２アタッチメント７から脱落することが防止されている。
【００２４】
上記したように付勢部材７３ｅによりロックプレート８は矢印Ｗ２方向（ロック方向）に付勢されているため、図８に示すように、中空軸状部材６の開口６２にロックプレート８のロック爪８１が臨んでいる。ロックプレート８の操作部８３を矢印Ｗ１方向（ロック解除方向）に使用者等が押圧操作すれば、ロックプレート８のロック爪８１は矢印Ｗ１方向（ロック解除方向）に移動するため、中空軸状部材６の開口６２から退避すると共に、ロックプレート８の対面開口８０と中空軸状部材６の開口６２との連通面積は増加する。図１に示すように、ロックプレート８は便器２の据え付け面２０と基部３０との間に配置されるものであるが、便器２の据え付け面２０に沿った薄い板状であり、板状の第２アタッチメント７に内蔵されているため、基部３０の高さ方向の突出を抑えるのに有利である。
なお、便座装置１を便器２の据え付け面２０に据え付けたときには、ロックプレート８の操作部８３は、便座装置１の側面１ｔ側に位置するものであり、清掃時に操作部８３を清掃者が操作できるように、便座装置１の基部３０から露出するものである。
【００２５】
次に、本実施例に係る便座装置１を便器２に据え付ける場合に説明を加える。まず、図２において、第２アタッチメント７の中空軸状部材６を便器２の据え付け面２０の取付孔２１に上方から下方（矢印Ｙ３方向）に向けて挿入する。そして、便器２の取付孔２１よりも下方に露出した中空軸状部材６の下部の雄螺子６３に、ナット部材６７の雌螺子６８を螺着する。これにより中空軸状部材６を第２アタッチメント７と共に便器２の据え付け面２０に固定状態に据え付ける。この状態では、中空軸状部材６の開口６２は上方に臨んでいる。
【００２６】
また、前述したように便座装置１の基部３０のアタッチメント係合部３４に第１アタッチメント５を着脱可能に係合させる。これにより便座装置１の基部３０、第１アタッチメント５、差し込み軸状部材４を一体的にする。このとき、便座装置１の基部３０及び第１アタッチメント５に対して、差し込み軸状部材４はほぼ垂直状態で下方に突出している（図１参照）。上記したように第１アタッチメント５を基部３０に取り付ければ、第１アタッチメント５が硬質である場合には、第１アタッチメント５が基部３０のベースプレート３０ａを補強する効果も期待できる。
【００２７】
その後、基部３０に接続されている第１アタッチメント５の差し込み軸状部材４を中空軸状部材６の上方に配置し、差し込み軸状部材４を中空軸状部材６の開口６２から中空室６０に下方（矢印Ｙ１方向）に差し込む。差し込み軸状部材４を差し込むときに、差し込み軸状部材４の下端部がロック爪８１に衝突しないように、ロックプレート８の操作部８３を矢印Ｗ１方向（ロック解除方向）に押圧操作することが好ましい。これによりロックプレート８のロック爪８１を中空軸状部材６の開口６２から良好に退避させることができる。そして、ロックプレート８の操作部８３の押圧操作を解除すれば、付勢部材７３ｅの矢印Ｗ２方向に向かう付勢力により、ロックプレート８がロック爪８１と共に矢印Ｗ２方向（ロック方向）に移動するため、図９に模式的に示すように、ロックプレート８のロック爪８１が差し込み軸状部材４の上側の被ロック溝４０ｃ（４０）に係止してロックされる。
【００２８】
このように差し込み軸状部材４がロックプレート８のロック爪８１によりロックされたときには、差し込み軸状部材４は、中空軸状部材６の中空室６０内において一定高さ位置に固定され、矢印Ｙ２，Ｙ１方向に昇降できなくなる。この状態では、図９に示すように、差し込み軸状部材４は中空軸状部材６の中空室６０に配置され、差し込み軸状部材４及び中空軸状部材６は二重軸構造となると共に、便器２の据え付け面２０の上面に第２アタッチメント７が配置されており、第２アタッチメント７の上側に基部３０が配置される。このようにして便座装置１を便器２の据え付け面２０に据え付ける。これにより便座装置１の据え付け作業は基本的には終了する。このように据え付けが終了した状態では、便蓋３２及び便座本体３１は基部３０に対して上下方向に回動可能となる。
【００２９】
次に、便座装置１の基部３０と便器２の据え付け面２０との間を清掃する場合について説明を加える。この場合、清掃者がロックプレート８の操作部８３を矢印Ｗ１方向（ロック解除方向）に押圧する。これによりロックプレート８のロック爪８１と差し込み軸状部材４の被ロック溝４０とのロックを解除する。このようにロック解除すれば、差し込み軸状部材４は、つまり、差し込み軸状部材４を有する基部３０は、中空軸状部材６に対して持ち上げ可能となる。この状態において、清掃者は便座装置１の基部３０を持ち上げると、図１０に示すように、便座装置１の基部３０及び第１アタッチメント５と共に、差し込み軸状部材４は中空軸状部材６に対して上方（矢印Ｙ２方向）に持ち上げられる。このとき、中空軸状部材６及び第２アタッチメント７は、ナット部材６７により便器２に固定されているため、持ち上げられない。
【００３０】
上記したように基部３０及び第１アタッチメント５と共に、差し込み軸状部材４は中空軸状部材６に対して上方（矢印Ｙ２方向）に持ち上げ、適宜の上昇位置とすると、付勢部材７３ｅの矢印Ｗ２方向（ロック方向）に向かう付勢力により、ロックプレート８がロック爪８１と共に矢印Ｗ２方向（ロック方向）に付勢されているため、図１０に示すように、ロックプレート８のロック爪８１が差し込み軸状部材４の下側の被ロック溝４０ａ（４０）、または、中間位置の被ロック溝４０ｂ（４０）に係止して自動的にロックされる。この結果、差し込み軸状部材４及び第１アタッチメント５はその高さ位置に維持され、自然に下降することが抑えられる。故に、便座装置１の基部３０は便器２の据え付け面２０から持ち上げられた状態に維持される。この結果、図１０に示すように、便座装置１の基部３０と便器２の据え付け面２０との間の隙間Ｋの隙間幅が拡大する。このため、便器２の据え付け面２０の上面２０ｕ、便座装置１の基部３０の下面３０ｄの奥方まで、手の指先、あるいは、雑巾等の清掃具を挿入し易くなり、便座装置１の基部３０と便器２の据え付け面２０との間を清掃し易くなる。殊に、手が大きい人の場合であっても奥方まで、手、あるいは、雑巾等の清掃具を挿入でき、清掃し易くなる。
【００３１】
清掃が終了したら、作業者は、ロックプレート８の操作部８３を矢印Ｗ１方向（ロック解除方向）に再び押圧操作する。これにより前述同様に、ロックプレート８のロック爪８１と差し込み軸状部材４の被ロック溝４０とのロックを解除し、差し込み軸状部材４を矢印Ｙ１方向に下降可能とさせる。そして、清掃者が便座装置１の基部３０を下降操作させると、基部３０及び第１アタッチメント５と共に、差し込み軸状部材４は矢印Ｙ１方向に下降し、中空軸状部材６の中空室６０内に更に進入する。このとき、中空軸状部材６はナット部材６７により便器２に固定されているため、移動しない。
【００３２】
上記したように基部３０及び第１アタッチメント５と共に、差し込み軸状部材４を矢印Ｙ１方向に下降させれば、付勢部材７３ｅの矢印Ｗ２方向に向かう付勢力により、ロックプレート８がロック爪８１と共に矢印Ｗ２方向（ロック方向）に付勢されているため、ロックプレート８のロック爪８１が差し込み軸状部材４の上側の被ロック溝４０（４０ｃ）に係止して差し込み軸状部材４が自動的にロックされる。
【００３３】
上記したように清掃の際に、便座装置１の基部３０は便器２の据え付け面２０から持ち上げたときであっても、差し込み軸状部材４及び中空軸状部材６の二重軸構造部分の軸長は短くなっているものの、差し込み軸状部材４は中空軸状部材６の中空室６０内に差し込まれており、二重軸構造部分は維持されている。このため清掃終了時に、便座装置１の基部３０を再び下降させるとき、差し込み軸状部材４が中空軸状部材６に差し込み状態に維持されているため、差し込み軸状部材４及び中空軸状部材６がガイド作用を果たし、基部３０の位置ずれが抑制され、基部３０の下降作業を容易に行うことができる。故に、差し込み軸状部材４は、基部３０の位置ずれを抑制するガイド軸としても機能することができる。
【００３４】
以上説明したように差し込み軸状部材４は中空軸状部材６の中空室６０内に差し込まれるように下方に向けて突出しているため、上記した従来技術と異なり、差し込み軸状部材４が便座装置１の基部３０の収容室３０ｗ内において上方に向けてかなりの突出量で突出することを抑えることができる。故に、差し込み軸状部材４が基部３０の収容室３０ｗ内において邪魔にならず、便座装置１の機能に関係する洗浄ノズルや温水タンク等の搭載部品を基部３０の収容室３０ｗ内において配置するにあたり、搭載部品を最適な位置に配置することができず、基部３０内における設計の自由度を確保するのに有利な便座装置１を提供することができる。
【００３５】
便器２の取付孔２１のピッチＰ１（図２参照）は一般的には規格（ＪＩＳ規格）で規定されている。このため複数本（２本）の中空軸状部材６のピッチＰ３、複数本（２本）の差し込み軸状部材４のピッチＰ２を、便器２の取付孔２１のピッチＰ１に整合させておけば、製造会社により便座装置１の種類が異なるときであっても、便座装置１の基部３０に第１アタッチメント５を取り付け得るように第１アタッチメント５を設定すれば、各製造会社により提供されている各種の便座装置１にも本発明装置に係る持ち上げ機能、清掃機能を適用することができ、汎用性を高めることができる。
【００３６】
前述したように、差し込み軸状部材４は第１アタッチメント５に対して折り畳み可能に設けられており、差し込み軸状部材４は第１アタッチメント５とほぼ平行となるように第１アタッチメント５に沿って折り畳まれ、第１アタッチメント５の収容部５０に収容されており、梱包時の小型化、据え付け作業時における小スペース化に有利である。以下、この折り畳み構造について図１１〜図１４を参照して説明を加える。即ち、図１１に示すように、第１アタッチメント５の収容部５０には、軸芯４ｋをもつ差し込み軸状部材４が軸状の回動部４ｘにより、回動部４ｘを中心として矢印Ｒ１方向（折り畳み方向），矢印Ｒ２方向（立起方向）に回動可能に枢支されている。更に、第１アタッチメント５の収容部５０に向けて突出する固定ピン５１が退避可能に第１アタッチメント５に設けられている。なお図１１に示すように、第１アタッチメント５の収容部５０に差し込み軸状部材４が収容されているときには、収容部５０の内面５０ｉに差し込み軸状部材４が係止ないしは受け止められている。
【００３７】
固定ピン５１は、第１アタッチメント５の凹状のピンホルダ部５２に嵌合されて保持されていると共に、突出する方向（矢印Ｓ３方向）に第２付勢部材（コイルバネ）５４により付勢されている。また固定ピン５１は第２付勢部材５４の付勢力に抗しつつ、退避方向（矢印Ｓ４方向）に移動して凹状のピンホルダ５２に退避できるようにされている。
【００３８】
図１３及び図１４に示すように、差し込み軸状部材４の枢支部側には、傾斜面状の第１係合面４４及び傾斜面状の第２係合面４５が頂角部４６を挟むように、横断面でほぼ三角山形状に形成されている。差し込み軸状部材４が矢印Ｒ１方向に回動して第１アタッチメント５の収容部５０に折り畳まれているときには、図１３に示すように、差し込み軸状部材４の傾斜面状の第１係合面４４に固定ピン５１の先端が加圧しており、これにより差し込み軸状部材４を収容部５０に折り畳み状態に維持している。なお、固定ピン５１の加圧作用により、差し込み軸状部材４が予想に反して回動することが防止されている。
【００３９】
これに対して差し込み軸状部材４が矢印Ｒ２方向に回動して第１アタッチメント５の収容部５０から立起し、第１アタッチメント５に対してほぼ垂直状態とされているときには、図１４に示すように、差し込み軸状部材４の傾斜面状の第２係合面４５を固定ピン５１の先端が加圧しており、これにより差し込み軸状部材４を立起状態に維持している。
【００４０】
本実施例によれば、固定ピン５１は、差し込み軸状部材４の姿勢を、第１アタッチメント５の収容部５０に対して折り畳み状態及び立起状態にそれぞれ維持する差し込み軸状部材姿勢維持手段として機能することができる。
差し込み軸状部材４を矢印Ｒ１，Ｒ２方向に回動させるときには、固定ピン５１は第２付勢部材５４の付勢力に抗しつつ、退避方向（矢印Ｓ４方向）に移動するめ、回動の支障とならない。
【００４１】
上記したように差し込み軸状部材４に第１係合面４４及び第２係合面４５を形成しているため、第１係合面４４及び第２係合面４５は、第１係合面４４及び第２係合面４５が形成されていないときにおける仮想円弧Ｍ１（図１３，図１４参照）に比較して、第１係合面４４及び第２係合面４５のテーパが緩やかになるため、差し込み軸状部材４を折り畳み方向（矢印Ｒ１方向），立起方向（矢印Ｒ２方向）に回動させるとき、第１係合面４４及び第２係合面４５により固定ピン５１を容易に退避方向（矢印Ｓ４方向）に変位させることができる。
【００４２】
（その他）
上記した実施例によれば、第１アタッチメント５に差し込み軸状部材４を一体的に設け、その第１アタッチメント５を基部３０に取り付けることにより、差し込み軸状部材４を便座装置１の基部３０に一体的に設ける方式を採用しているが、これに限らず、第１アタッチメント５を廃止し、差し込み軸状部材４を直接的に基部３０に一体的に設けることにしても良い。この場合、差し込み軸状部材４を垂直下方に向かせて基部３０の底部に設けるとよい。上記した実施例によれば、温水タンク、洗浄ノズル３０ｐを有する局部洗浄機能を有する便座装置１に適用しているが、これに限らず、便座本体３１にヒータを有する暖房便座機能をもつ便座装置１に適用することもできる。また、局部洗浄機能及び暖房便座機能をもたない便座装置に適用することもできる。ロック手段はロックプレート８で形成されているが、これに限らず、プレート以外の他の構造とすることもできる。その他、本発明は上記した実施例のみに限定されるものではなく、要旨を逸脱しない範囲内で適宜変更して実施できるものである。
【００４３】
【発明の効果】
以上説明したように本発明によれば、軸状部材が便座装置の基部内において上方に向けてかなりの突出量で突出することを抑え、便座装置の機能に関係する搭載部品を基部内において配置するにあたり、設計の自由度を確保するのに有利な便座装置を提供することができる。
【図面の簡単な説明】
【図１】便器に据え付けた中空軸状部材に、便座装置の基部に取り付けた差し込み軸状部材を差し込む直前の状態を模式的に示す斜視図である。
【図２】差し込み軸状部材をもつ第１アタッチメント、中空軸状部材をもつ第２アタッチメント、便座装置の基部を分解した状態を模式的に示す斜視図である。
【図３】アタッチメント係合部をもつ基部を有する便座装置の底面付近を示す斜視図である。
【図４】便座装置の基部に形成されているアタッチメント係合部を模式的に示す斜視図である。
【図５】便座装置の基部に形成されているアタッチメント係合部に第１アタッチメントを係合している状態を模式的に示す断面図である。
【図６】差し込み軸状部材をもつ第１アタッチメントの斜視図である。
【図７】中空軸状部材及びロックプレートをもつ第２アタッチメントを示す斜視図である。
【図８】ロックプレートのロック爪が第２アタッチメントに露出している状態を示す斜視図である。
【図９】便器に第２アタッチメントと共に据え付けた中空軸状部材の中空室に、便座装置の基部に取り付けた差し込み軸状部材を差し込んだ状態を模式的に示す断面図である。
【図１０】便座装置の基部を便器の据え付け面から持ち上げた状態を模式的に示す断面図である。
【図１１】差し込み軸状部材を第１アタッチメントに折り畳み可能に枢支している構造をもつ断面図である。
【図１２】差し込み軸状部材を第１アタッチメントに折り畳み可能に枢支している構造をもつ断面図であり、図１１のＸ１２−Ｘ１２線に沿った断面図である。
【図１３】差し込み軸状部材を第１アタッチメントに折り畳み可能に枢支している構造をもつ断面図であり、図１１のＸ１３−Ｘ１３線に沿った断面図である。
【図１４】差し込み軸状部材を第１アタッチメントに折り畳み可能に枢支している構造をもつ断面図であり、図１１のＸ１４−Ｘ１４線に沿った断面図である。
【符号の説明】
図中、１は便器装置、２は便器、２０は据え付け面、２１は取付孔、３０は基部、３１は便座本体、３２は便蓋、３４はアタッチメント係合部、４は差し込み軸状部材、４０は被ロック溝（被ロック部）、５は第１アタッチメント、６は中空軸状部材、６０は中空室、６２は開口、６３は雄螺子、７は第２アタッチメント、７３ｅは付勢部材、８はロックプレート（ロック手段）、８１はロック爪、８３は操作部を示す。
【図１】
2004344475.tif 000003
【図２】
2004344475.tif 000004
【図３】
2004344475.tif 000005
【図４】
2004344475.tif 000006
【図５】
2004344475.tif 000007
【図６】
2004344475.tif 000008
【図７】
2004344475.tif 000009
【図８】
2004344475.tif 000010
【図９】
2004344475.tif 000011
【図１０】
2004344475.tif 000012
【図１１】
2004344475.tif 000013
【図１２】
2004344475.tif 000014
【図１３】
2004344475.tif 000015
【図１４】
2004344475.tif 000016